(57)【要約】      （修正有）【課題】ハンガー機能を有する表示媒体、及びそのデザイン方法を提供する。【解決手段】表示面を有する胴体部１の、左右の側面にアーム部１ａと１ｂを、それぞれ設け、また、前記胴体部１の上端部に、前記胴体部１を吊持するための吊り下げ機能を有する頭部１ｈを設けた、ハンガー機能を有する表示媒体であり、前記胴体部１の形態が、多角形であり、前記胴体部１の形態を、多角形のものに代えて、「略物の輪郭型」とし、ハンガーフック状の形態であるもの、円輪形状部、もしくは、逆向き略Ｃ型形状部の下方に首部を一体状に形成した形態であるもの、略（クエスチョンマーク）形ハンガーフックの下方に略円板部を一体状に形成した形態であるもの、略（クエスチョンマーク）形ハンガーフックの下方に略楕円板部を一体状に形成した形態であるもの、以上のうちのいずれかの形態である、前記頭部と、前記アーム部と、前記胴体部と、を構成要素として構成する。【選択図】図１
2011041782.tif 000002
【特許請求の範囲】
【請求項１】
表示面を有する胴体部１の、左右の側面にアーム部１ａと１ｂを、それぞれ設け、また、前記胴体部１の上端部に、前記胴体部１を吊持するための吊り下げ機能を有する頭部１ｈを設けた、ハンガー機能を有する表示媒体であり、前記胴体部１の形態が、多角形である、ハンガー機能を有する表示媒体。
【請求項２】
前記胴体部１の形態を、多角形のものに代えて、「略物の輪郭型」とした、前記請求項１記載の、ハンガー機能を有する表示媒体。
【請求項３】
前記頭部１ｈの形態が、ハンガーフック状の形態であるもの、円輪形状部、もしくは、逆向き略Ｃ型形状部の下方に首部を一体状に形成した形態であるもの、略？（クエスチョンマーク）形ハンガーフックの下方に略円板部を一体状に形成した形態であるもの、略？（クエスチョンマーク）形ハンガーフックの下方に略楕円板部を一体状に形成した形態であるもの、以上のうちのいずれかの形態である、前記請求項１及び２記載の、ハンガー機能を有する表示媒体。
【請求項４】
前記頭部と、前記アーム部と、前記胴体部と、を構成要素として、全体を構成する、ハンガー機能を有する表示媒体のデザイン方法であり、
前記胴体部の形態が、多角形、もしくは、略物の輪郭型のいずれかであり、
前記頭部１ｈの形態が、ハンガーフック状の形態であるもの、円輪形状部、もしくは、逆向きＣ型形状部の下方に首部を一体状に形成した形態であるもの、略？（クエスチョンマーク）形ハンガーフックの下方に略円板部を一体状に形成した形態であるもの、略？（クエスチョンマーク）形ハンガーフックの下方に略楕円板部を一体状に形成した形態であるもの、以上のうちのいずれかの形態であり、
更に、アーム部の形態が、先端半円弧状の横長板状の形態、もしくは、先端面が垂直状の横長板状の形態、どちらかの形態を有し、
前記胴体部、前記頭部、前記アーム部、それぞれの形態、サイズを任意選択要素とし、所望の形態、サイズを選択し、それぞれを組み合わせ自在に、全体を構成する、ハンガー機能を有する表示媒体のデザイン方法。
【発明の詳細な説明】
【技術分野】
【０００１】  本発明は、ハンガー機能を有する表示媒体、及びそのデザイン方法に関するものである。
【背景技術】
【０００２】  従来より、広告宣伝事項、デザイン物などを表示するための表示部を有するハンガーが多数考案されている。
具体例としては、実開Ｓ６２−２０３６７６号、実登３１４４９６４号、実登３０７３９７５号、意匠登録１３０５４８５号、実開Ｓ６２−１２９９７８号、実開Ｓ６２−６３０７４号、特開２００７−２８９２９５号、特開Ｈ０７−７９８５１号、実登３０９５３８５号、などがある。【０００３】
【先行技術文献】
【特許文献】
【０００４】
【特許文献１】  実開Ｓ６２−２０３６７６号
【特許文献２】  実用新案登録３１４４９６４号
【特許文献３】  実用新案登録３０７３９７５号
【特許文献４】  意匠登録１３０５４８５号
【特許文献５】  実開Ｓ６２−１２９９７８号
【特許文献６】  実開Ｓ６２−６３０７４号
【特許文献７】  特開２００７−２８９２９５号
【特許文献８】  特開Ｈ０７−７９８５１号
【特許文献９】  実登３０９５３８５号
【発明が解決しようする課題】
【０００５】  上記例示の特許文献に開示された発明は、いずれも、ハンガーの基本構成に対し表示機能を付加するという着想に基づいた、ハンガーに係わる発明であるので、純粋な「表示媒体」としての、機能的形態を有していない。
即ち、純粋な「表示媒体」として視覚、認知されにくい、という問題がある。
これは、広告の効果に係わる課題点である。
【０００６】  意匠登録１３０５４８５号、実開Ｓ６２−１２９９７８号、実開Ｓ６２−６３０７４号、特開Ｈ０７−７９８５１号、意匠登録１３０５４８５号、特開２００７−２８９２９５号、特開Ｈ０７−７９８５１号、実登３０９５３８５号の場合、表示媒体としての、まとまりのある形態をしておらず、レイアウト性に欠ける。
【０００７】  また、意匠登録１３０５４８５号、特開２００７−２８９２９５号、特開Ｈ０７−７９８５１号、実登３０９５３８５号は、組立構造部を有するため、表示媒体に求められる単純形態性、一体性に欠ける。
【０００８】  実登３１４４９６４号の場合、シンプルで、まとまりのある形態を有し、表示媒体としての活用、普及に適した形態をしている。
【０００９】  しかしながら、アーム部、表示部、フック部が一体状に形成され、一つの、まとまりのある、独自の意匠を形成しているため、表示部のサイズ、及び形態を、別のパターンに変更する場合、全体を縮小、拡大するしか対応できない。
そうした場合、ハンガーとしての使い勝手が悪くなる。
【００１０】  よって、需要者が、表示内容の情報量、用途、目的ごとに、所望する表示部のサイズ、及び形態を趣旨選択することができない。
【００１１】  広告内容の表示形態は、略山形状のものに限定される。
サイズの選択肢も限定される。
【００１２】  「広告効果」は、視覚的演出に負う部分が大きいので、広告媒体の、レイアウト性、デザイン性など、美感に係わる選択肢は、豊富であることが望まれる。
【００１３】  また、所望する形態、サイズを有する広告媒体を、独自に制作するとなると、デザイン制作、金型制作などのイニシャルコスト（初期投資）がかかり、また、それらの制作に要する、時間的負担も大きくなる。
【００１４】  よって、それらのコスト、労力を省け、かつ、レイアウト性、デザイン性に関して、選択肢が豊富な、汎用性のある広告媒体が望まれる。
【００１５】  そこで、上記の課題を踏まえ、表示媒体としての形態印象を与える単純形態性、一体性を有し、かつ、表示媒体としてのレイアウト性に優れ、更に、表示部（レイアウト枠）のサイズ、及び形態に関して、多種多様に、展開可能で、同時に、意匠の展開性に優れた、ハンガー機能を有する表示媒体、及びそのデザイン方法を提供する。
【課題を解決するための手段】
【００１６】  本発明は、上記目的を達成するために、請求項１記載の発明は、
表示面を有する胴体部１の、左右の側面にアーム部１ａと１ｂを、それぞれ設け、また、前記胴体部１の上端部に、前記胴体部１を吊持するための吊り下げ機能を有する頭部１ｈを設けた、ハンガー機能を有する表示媒体であり、前記胴体部１の形態が、多角形である、ハンガー機能を有する表示媒体を提供する。
【００１７】  本発明の請求項２記載の発明は、
前記胴体部１の形態を、多角形のものに代えて、「略物の輪郭型」にした、前記請求項１記載の、ハンガー機能を有する表示媒体を提供する。
【００１８】  本発明の請求項３記載の発明は、
前記頭部１ｈの形態が、ハンガーフック形状であるもの、円輪形状部、もしくは、逆向きＣ形状部の下方に首部を一体状に形成した形態であるもの、略？（クエスチョンマーク）形ハンガーフックの下方に略円板部を一体状に形成した形態であるもの、略？（クエスチョンマーク）形ハンガーフックの下方に略楕円板部を一体状に形成した形態であるもの、以上のうちのいずれかの形態である、前記請求項１及び２記載の、ハンガー機能を有する表示媒体をを提供する。
【００１９】  本発明の請求項４記載の発明は、
前記頭部と、前記アーム部と、前記胴体部と、を構成要素として、全体を構成する、ハンガー機能を有する表示媒体のデザイン方法であり、
前記胴体部の形態が、多角形、もしくは、略物の輪郭型のいずれかであり、
前記頭部１ｈの形態が、ハンガーフック状の形態であるもの、円輪形状部、もしくは、逆向きＣ型形状部の下方に首部を一体状に形成した形態であるもの、略？（クエスチョンマーク）形ハンガーフックの下方に略円板部を一体状に形成した形態であるもの、略？（クエスチョンマーク）形ハンガーフックの下方に略楕円板部を一体状に形成した形態であるもの、以上のうちのいずれかの形態であるもの、
更に、アーム部の形態が、先端半円弧状の横長板状の形態、もしくは、先端面が垂直状の横長板状の形態、どちらかの形態を有し、
前記頭部、前記アーム部、前記胴体部それぞれの形態、サイズを任意選択要素とし、所望の形態、サイズを選択し、それぞれを組み合わせ自在に、全体を構成する、ハンガー機能を有する表示媒体のデザイン方法を提供する。
【００２０】  なお、「略物の輪郭型」とは、主に、物品などの、正面、もしくは平面の象の輪郭を平板状に象った型を意味する。
【発明の効果】
【００２１】  本発明は、上記のように構成したことにより、次の効果をもたらす。
【００２２】  本発明は、平板状の表示面を有する胴体部を中心に配置し、その胴体部に、左右のアーム部と頭部を設け、形成してある。
単純形態性、一体性を有し、表示媒体として視覚、認知されやすい形態である。
また、広告表示部が主役になる構成であり、レイアウト性に優れている。
【００２３】  そして、胴体部の形態を多角形、もしくは、物の輪郭型とすることにより、全体形態が、疑似人形型に表される。
【００２４】  胴体部の形態、サイズを、様々な、別の形態、サイズのものに代えても、いずれの場合も、全体印象は、疑似人形型として視覚認識される。
【００２５】  即ち、実質レイアウト枠となる表示面を、様々な、別の形態、サイズに代えても、それぞれの全体は、疑似人形型としての共通性、関連性を有し、統一性のある形態バリエーション化が可能になる。
表示面のバリエーション化は、表示媒体としての活用機会を広げ汎用性を高める。
同時に、全体意匠のバリエーション化を実現する。
【００２６】  このように、全体形態を、単純構成部による、組み合わせ自在な、選択、構成システムにより形成可能にすることにより、表示面（レイアウト枠）、全体意匠、両方に関して、効率的に、バリエーション化できる。
【００２７】  本発明による表示媒体を、広告表示用の、汎用型、規格型として提供すれば、需要者は、広告表示におけるレイアウト、デザインに関して選択肢が広がり、自由度の高い広告表示が可能になる。
また、媒体デザイン、金型制作などに要するコスト、時間、労力を省け、効率的に広告、宣伝を実施できる。
【図面の簡単な説明】
【００２８】
【図１】  第一の実施例の正面図、左側面図、平面図である。
【図２】  第一の実施例の右側面図、底面図である。
【図３】  第二の実施例の正面図、左側面図、平面図である。
【図４】  第三の実施例の正面図、左側面図、平面図である。
【図５】  第四の実施例の正面図、左側面図、平面図である。
【図６】  第五の実施例の正面図、左側面図、平面図である。
【図７】  第六の実施例の正面図、左側面図、平面図である。
【図８】  第七の実施例の正面図、左側面図、平面図である。
【図９】  第八の実施例の平面図、左側面図、平面図である。
【図１０】  第九の実施例の正面図、左側面図、平面図である。
【図１１】  第十の実施例の正面図、左側面図、平面図である。
【図１２】  第十一の実施例の正面図、左側面図、平面図である。
【図１３】  第十二の実施例の正面図、左側面図、平面図である。
【図１４】  第十三の実施例の正面図、左側面図、平面図である。
【図１５】  第十四の実施例の正面図、左側面図、平面図である。
【図１６】  第十五の実施例の正面図、左側面図、平面図である。
【図１７】  第十六の実施例の正面図、左側面図、平面図である。
【図１８】  第十七の実施例の正面図、左側面図、平面図である。
【図１９】  第十八の実施例の正面図、左側面図、平面図である。
【図２０】  第十九の実施例の正面図、左側面図、平面図である。
【図２１】  携帯電話の輪郭型表示部に広告表示を実施した例である。
【図２２】  第二十の実施例の正面図、左側面図、平面図である。
【図２３】  第二十一の実施例の正面図、左側面図、平面図である。
【図２４】  第二十二の実施例の正面図、左側面図、平面図である。
【図２５】  第二十三の実施例の正面図、左側面図、平面図である。
【図２６】  第二十四の実施例の正面図、左側面図、平面図である。
【図２７】  第二十五の実施例の正面図、左側面図、平面図である。
【課題を解決するための形態】
【００２９】  以下、本発明の実施の形態を、図１〜図２７に基づいて説明する。
【００３０】  図１は、第一実施例の正面図、左側面図、平面図を表している。
図２は、第一実施例の右側面図、底面図を表している。
【００３１】  図１において第一実施例の基本構成を説明する。
【００３２】  縦長の四角形の板状の胴体部１の左右の側面上部に、先端半円弧状の横長板状のアーム部１ａと１ｂを、それぞれ設け、更に、前記胴体部１の上端部中間に、円輪部の下方に直線状の首部を一体に形成した頭部１ｈを設けてある。
かつ、全体を一体成型状に形成し、単純形態性、一体性を有する。
【００３３】  本発明は、縦長四角形の板状の胴体部が、略人型の胴体部に相応し、形態印象の中心に位置するかたちになる。
この胴体部は、平板なレイアウト枠であり、その表面に対し、広告表示を実施すれば、広告表示が「中心」となり、注視、注目されやすくなる。
【００３４】  更に、本発明の構成パターンによれば、全体が、頭部、アーム部、胴体部から成る、疑似人形型として視覚される。
人形型の構成要素は極めて単純で、そのイメージは概形化している。
よって、胴体部の形態を多角形、もしくは物の略輪郭型として、様々な形態、サイズのものを規格化した場合、いずれの場合も、全体意匠は、「疑似人形型」として視覚、認識されうかるたちになる。（図１〜図２７参照）
【００３５】  即ち、表示媒体としての全体イメージを崩すことなく、統一性をもったかたちで、様々な、形態、サイズの表示面（レイアウト枠）を規格化、展開できる。
【００３６】  広告レイアウト枠の形態の選択肢が広がるので、多様な広告表示に対応できる。
広告媒体としての活用機会を高めるのに有効であり、汎用化に役立つ。
【００３７】  また、表示面となる胴体部の形態は、汎用性のある単純形であるので、表示用レイアウト枠に好適である。
【００３８】  なおかつ、疑似人形型の全体形態においては、胴体部に相応する中心的構成部であるので、その形態のバリエーション化により、全体意匠において多彩な印象を与え、同時に、デザイン面でのバリエーション効果をもたらす。
【００３９】  このように、従来例が、ハンガーを基本に構成されているの対し、本発明は、純粋な「表示媒体」としての活用、普及を前提として構成してあるので、表示媒体として視覚、認知されやすい形態をしている。
そして、極めて効率的、かつシステム的に、統一性のある表示面（レイアウト枠）のバリエーション化、意匠バリエーション化が可能になる。
これは、表示媒体、広告媒体としての活用価値を高めるものである。
【００４０】  以下、本発明の、表示面、及び全体意匠に対するバリエーション化の効果点について、具体例をもって説明して行く。
【００４１】  図３は、第二実施例である。
表示面を有する胴体部の形態を「五角形」としたものである。
【００４２】  図４〜図６は、第三実施例〜第五実施例である。
胴体部の形態を、汎用性の高い、名刺型、カード型、とした例を示している。
これにより、レイアウト枠の共通する、名刺デザイン、カードデザインのパターンを、表示部に転用可能となり、効率的に広告実施できる。
【００４３】  図７は、第六実施例である。
胴体部の形態を、通帳型としたものである。
銀行、郵便の通帳デザインを、販促品に転用可能となる。
【００４４】  図８、図９は、第七実施例、第八実施例である。
それぞれ、胴体部の形態を、はがき用紙規格型、短冊型、とした例である。
ＤＭ（販促葉書）デザインの転用、川柳、俳句などの表示に適している。
【００４５】  図１０〜図１８は、第九実施例〜第十七実施例である。
胴体部の形態を、「物の輪郭型」とした例を示している。
いずれも、商品パッケージの輪郭型である。
【００４６】  それぞれ、缶ビール、缶コーヒー、ペットボトル、飲料用びん、使い捨てカップ、菓子類の箱型パッケージ、の正面、もしくは、平面の像の輪郭を象ったものである。
【００４７】  図１９、図２０は、第十八実施例、第十九実施例である。
胴体部の形態を、携帯電話、記録媒体（ＣＤ、ＤＶＤ）の正面、もしくは平面の象の輪郭を象ったものである。
【００４８】  以上、図１０〜図２０例示の各実施例の、それぞれの型の表示面（レイアウト枠）に、各商品の絵（写真）、もしくは、パッケージデザインを転用、表示すれば、販促品、ノベルティー品を効率的に制作できる。
【００４９】  例えば、前記胴体部１の形態を携帯電話の輪郭型とし、表面に携帯電話の写真を印刷すれば、携帯電話の象が中心に位置する広告物が完成する。（図２１参照）
携帯電話にアーム部と頭部が加わった、新規な形態印象を与える広告物になる。
【００５０】  携帯電話の販促品、吊り下げＰＯＰ用の規格型、汎用型として活用できる。
【００５１】  これら、胴体部の形態を「物の輪郭型」とした場合、次のようなメリットがある。
ａ．広告表示物としての独自形態を有するので、注目効果が得られる。
ｂ．商品の絵が全体の中心に位置し、「主役」となるので、注視効果が得られる。
ｃ．デザイン物、鑑賞物としての視認、視覚機会が高まる。
ｄ．各物品カテゴリー専用の汎用型、規格型として利用できるので、需要者は、個別に、デザイン、金型製作する手間、コストを省くことができる。
既製の商品パッケージデザインなどの転用により、販促品、宣伝ＰＯＰを製作できるので、効率的である。
【００５２】  図２２〜図２４は、第二十実施例〜第二十二実施例である。
胴体部の形態を、乗り物類の「輪郭型」とした例を示している。
それぞれ、乗用自動車、トラック、電車の正面の像の輪郭を象ったものである。
乗用自動車、トラック、電車の正面の像の絵（写真）を表示すれば、自動車販売、引っ越し関連、電鉄、旅行関連のノベルティー品を効率的に制作できる。
【００５３】  図２５〜図２７は、第二十三実施例〜第二十五実施例である。
人型イメージを、より明確にした例である。
注目効果が高まり、売り場ＰＯＰなどに好適である。
【００５４】  このように、本発明は、様々な形態、サイズの表示部を、バリエーション化できるので、規格化し、汎用品、定番品として提供すれば、効率的に、販促品、ノベルティー品、売り場ＰＯＰなどの広告宣伝物を制作できる。
かつ、広告媒体制作に係わる、デザイン制作コスト、金型制作コストなどのイニシャルコスト、及び、その制作に要する時間を省くことができ、コスト削減、納期短縮に、極めて有効である。
【００５５】  なお、表示部の厚み幅、及び他の構成部のサイズ調整に関しては任意とする。
【符号の説明】
【００５６】  １    胴体部
１ｈ  頭部
１ａ  左アーム
１ｂ  右アーム
【図１】
2011041782.tif 000003
【図２】
2011041782.tif 000004
【図３】
2011041782.tif 000005
【図４】
2011041782.tif 000006
【図５】
2011041782.tif 000007
【図６】
2011041782.tif 000008
【図７】
2011041782.tif 000009
【図８】
2011041782.tif 000010
【図９】
2011041782.tif 000011
【図１０】
2011041782.tif 000012
【図１１】
2011041782.tif 000013
【図１２】
2011041782.tif 000014
【図１３】
2011041782.tif 000015
【図１４】
2011041782.tif 000016
【図１５】
2011041782.tif 000017
【図１６】
2011041782.tif 000018
【図１７】
2011041782.tif 000019
【図１８】
2011041782.tif 000020
【図１９】
2011041782.tif 000021
【図２０】
2011041782.tif 000022
【図２１】
2011041782.tif 000023
【図２２】
2011041782.tif 000024
【図２３】
2011041782.tif 000025
【図２４】
2011041782.tif 000026
【図２５】
2011041782.tif 000027
【図２６】
2011041782.tif 000028
【図２７】
2011041782.tif 000029